(57)【特許請求の範囲】
【請求項１】
折り目に沿って折り畳まれる見開きシートと、
該見開きシートを折り畳んだときに外側になるように、前記見開きシートに重ねて貼り合わせられる台紙と、
前記見開きシートの折り目に跨って形成され、前記見開きシートの開閉中に、該見開きシートに対して起立する起立領域と、
該起立領域の起立動作とともに、前記見開きシートに対して起立する少なくとも一つの起立片と、
を有する見開き構造体の製造方法であって、
シートに加工を施して、前記見開きシートと台紙の境及びこれらの折り目に相当する位置に折り曲げ用の加工線を形成し、前記見開きシート側に前記起立領域の輪郭を形成する折り曲げ用の加工線及び切り込み線を形成し、前記見開きシート側に前記起立片の輪郭を形成する切り離し用の加工線を形成する工程と、
前記見開きシート側に、前記起立領域及び起立片の輪郭の外側と、前記シートの縁部，前記折り目の両側，前記台紙との境側の縁に接着剤を塗布する工程と、
前記シートを、前記見開きシートと台紙の境に相当する位置に形成した加工線に沿って折り曲げ、前記見開きシートと台紙を貼り合わせる工程と、
前記見開きシートを折り目に沿って折り曲げたときに、前記起立領域と起立片が重なる位置に、接着剤を塗布する工程と、
前記見開きシート及び台紙を、前記折り目に相当する位置に形成された折り曲げ用の加工線に沿って折り曲げ、前記起立領域と起立片を接着する工程と、
を含むことを特徴とする見開き構造体の製造方法。
【請求項２】
折り目に沿って折り畳まれる見開きシートと、
前記見開きシートの折り目に跨って形成され、前記見開きシートの開閉中に、該見開きシートに対して起立する起立領域と、
該起立領域の起立動作とともに、前記見開きシートに対して起立する少なくとも一つの起立片と、
を有する見開き構造体の製造方法であって、
シートに加工を施して、前記見開きシートの折り目に相当する位置に折り曲げ用の加工線を形成し、前記起立領域の輪郭を形成する折り曲げ用の加工線及び切り込み線を形成し、前記起立片の輪郭を形成する切り離し用の加工線を形成する工程と、
前記見開きシートを前記折り目に沿って折り曲げたときに、前記起立領域と起立片が重なる位置に、接着剤を塗布する工程と、
前記見開きシートを、前記折り目に相当する位置に形成された折り曲げ用の加工線に沿って折り曲げ、前記起立領域と起立片を接着する工程と、
を含むことを特徴とする見開き構造体の製造方法。
【請求項３】
前記見開きシートを折り畳んだときに外側になるように、前記加工線を形成したシートに台紙を貼り合わせる工程、
を含み、
前記台紙を貼り合わせた後に、前記起立領域と起立片が重なる位置に、接着剤を塗布する工程を行うことを特徴とする請求項２記載の見開き構造体の製造方法。
【請求項４】
前記台紙側に、前記起立片が見開きシートから分離して形成される開口部に相当する位置に、印刷又は印刷を施した紙片を設けたことを特徴とする請求項１又は３記載の見開き構造体の製造方法。
【請求項５】
前記シートに加工を施す工程において、
前記見開きシートの折り目に対して略直交する切り込み線と、
該切り込み線の一方の端部から、前記見開きシートの折り目に達するように、該折り目に対して斜めに形成された第１の折り曲げ用加工線と、
前記切り込み線の他方の端部から、前記第１の折り曲げ用加工線と同じ位置で前記見開きシートの折り目に達するように、該折り目に対して斜めに形成された第２の折り曲げ用加工線と、
を形成して、前記起立領域の輪郭を形成するとともに、
前記見開きシートを開いた状態において前記折り目と略平行になり、かつ、前記起立領域を２等分するように、前記見開きシートの折り目と逆向きに折り曲げられる第３の折り曲げ用加工線、
を形成することを特徴とする請求項１〜４のいずれか一項に記載の見開き構造体の製造方法。
【請求項６】
前記見開きシートの折り目に跨って形成され、前記見開きシートの開閉中に、前記起立領域とは独立して前記見開きシートに対して起立するとともに、前記起立片の起立状態を支持するための支持領域を含んでおり、
前記シートに加工を施す工程において、
前記見開きシートの折り目に跨って形成され、前記起立領域と支持領域の境を形成する切り込み線と、
前記見開きシートの折り目上の一点から、前記切り込み線の両端近傍に達するように一対形成されており、前記起立領域の輪郭を形成する第１の折り曲げ用加工線と、
前記見開きシートの折り目上の前記一点と、前記切り込み線を挟んで対向する前記見開きシートの折り目上の他の一点から、前記切り込み線の両端近傍に達するように一対形成されており、前記支持領域の輪郭を形成する第２の折り曲げ用加工線と、
前記見開きシートを開いた状態において前記折り目と略平行になり、かつ、前記起立領域及び支持領域をそれぞれ２等分するように、前記見開きシートの折り目と逆向きに折り曲げられる第３の折り曲げ用加工線と、
を形成するとともに、
前記起立領域と支持領域の境を形成する切り込み線に、前記起立領域側に向けて突出した部分を設けることで、
前記見開きシートの開閉中に、前記支持領域側の突出部分が、前記起立片と係合して支持することを特徴とする請求項１〜４のいずれか一項に記載の見開き構造体の製造方法。
【請求項７】
前記起立領域と支持領域の境を形成する切り込み線に、前記支持領域側に向けて突出した部分を設け、
前記起立領域側の突出部分に重なるように、前記起立片の一部を接着したことを特徴とする請求項６記載の見開き構造体の製造方法。
【請求項８】
前記見開きシートの折り目と直交する線に対する角度が、前記第１の折り曲げ用加工線と、前記第２の折り曲げ用加工線とで異なることを特徴とする請求項６又は７記載の見開き構造体の製造方法。
【請求項９】
前記シートに加工を施す工程において、
前記見開きシートの折り目に対して略直交し、所定の間隔をおいて対向する一対の切り込み線と、
該一対の切り込み線の一方の端部同士を結ぶ第１の折り曲げ用加工線と、
前記一対の切り込み線の他方の端部同士を結ぶ第２の折り曲げ用加工線と、
を形成して、前記起立領域の輪郭を形成するとともに、
前記第１及び第２の折り曲げ用加工線の間に、これらの加工線と略平行であって、前記見開きシートの折り目と逆方向に折るための第３の折り曲げ用加工線、
を形成することを特徴とする請求項１〜４のいずれか一項に記載の見開き構造体の製造方法。
【請求項１０】
請求項１〜９のいずれか一項に記載の製造方法によって製造したことを特徴とする見開き構造体。
【請求項１１】
あらかじめ形成された折り目で折り畳まれる見開きシートと、
該見開きシートの折り目に跨って形成されており、前記見開きシートの開閉中に、該見開きシートに対して起立する起立領域と、
該起立領域のいずれかの部分に一部が固定されており、前記起立領域の起立動作とともに、前記見開きシートに対して起立する少なくとも一つの起立片と、
前記見開きシートの折り目に跨って形成され、前記見開きシートの開閉中に、前記起立領域とは独立して前記見開きシートに対して起立するとともに、前記起立片の起立状態を支持するための支持領域と、
を備えたことを特徴とする見開き構造体。
【請求項１２】
前記見開きシートの折り目に跨って形成されており、前記起立領域と支持領域の境を形成する切り込み線、
を有しており、
前記切り込み線と、前記見開きシートの折り目上の一点から、前記切り込み線の両端近傍に達するように一対形成された第１の折り線とによって、前記起立領域の輪郭が形成され、
前記切り込み線と、前記見開きシートの折り目上の前記一点と、前記切り込み線を挟んで対向する前記見開きシートの折り目上の他の一点から、前記切り込み線の両端近傍に達するように一対形成された第２の折り線とによって、前記支持領域の輪郭が形成されるとともに、
前記見開きシートを開いた状態において前記折り目と略平行になり、かつ、前記起立領域及び支持領域をそれぞれ２等分するように、前記見開きシートの折り目と逆向きに折り曲げられる第３の折り線、
を有しており、
前記起立領域と支持領域の境を形成する切り込み線を、前記起立領域側に向けて突出させることで形成される支持領域側の突出部分が、前記見開きシートの開閉中に、前記起立片と係合することを特徴とする請求項１１記載の見開き構造体。
【請求項１３】
前記起立領域と支持領域の境を形成する切り込み線を、前記支持領域側に向けて突出させることで形成される起立領域側の突出部分に重なるように、前記起立片の一部が接着されていることを特徴とする請求項１２記載の見開き構造体。
【請求項１４】
前記見開きシートの折り目と直交する線に対する角度が、前記第１の折り線と、前記第２の折り線とで異なることを特徴とする請求項１２又は１３記載の見開き構造体。
【請求項１５】
前記見開きシートのうち、前記起立領域以外の一部を、該見開きシートから分離可能となるように切り離し線によって周囲と区切り、
該区切られた領域を前記起立片とし、その一部を前記起立領域に接着したことを特徴とする請求項１１〜１４のいずれか一項に記載の見開き構造体。
【請求項１６】
前記見開きシートを折り畳んだときに外側になるように、前記見開きシートの折り目に跨って前記見開きシートに貼り合わせられる台紙，
を備えたことを特徴とする請求項１１〜１５のいずれか一項に記載の見開き構造体。
【請求項１７】
前記見開きシートを折り畳んだときに外側になるように、前記見開きシートの折り目に跨って前記見開きシートに貼り合わせられる台紙，
を備えており、
前記台紙側に、前記起立片が見開きシートから分離して形成される開口部に相当する位置に、印刷又は印刷を施した紙片を設けたことを特徴とする請求項１５記載の見開き構造体。
【発明の詳細な説明】
【技術分野】
【０００１】
本発明は、折り畳み式の葉書やカード，各種配布物等を開いた時に、見開きシートの一部が起き上がる見開き構造体及びその製造方法に関するものである。
【背景技術】
【０００２】
従来、絵本などで、開いたときに模様などが起き上がる技術はよく知られている。また、カードやレターとしては、下記特許文献１に示す通信用封筒や、下記特許文献２に示すカードケースがある。前記特許文献１には、２つ折り以上に折り畳まれた通信用封筒の剥離糊を剥がして開封したとき、表面に印刷した模様が起立して、立体化する通信用封筒が開示されている。また、前記特許文献２には、カードケースを開いたときに、複数本の飛出片が連結手段で連結された装飾部が、蓋体の上方への開放時に前方へ飛出自在になるように設けられることが開示されている。更に、下記特許文献３には、台形状の起き上がり部を形成して、その上に画面紙を載せて折り目線がつかないようにした見開き冊子の立体画面構造が開示されている。
【先行技術文献】
【特許文献】
【０００３】
【特許文献１】特開平１０−７２０４０号公報
【特許文献２】実開平５−６５８４７号公報
【特許文献３】実開平２−１３６６９９号公報
【発明の概要】
【発明が解決しようとする課題】
【０００４】
しかしながら、前記特許文献１に記載の技術では、起立する模様に複数の折り目線が生じ、見栄えを損なうという不都合がある。また、前記特許文献２に記載の技術は、折り目線を階段状に形成したものであるが、製造工程が煩雑であるほか、対称とする模様が制限されるという不都合がある。更に、前記特許文献３に記載の技術では、台紙への糊付けがワンアクションではないというように、起き上がり分の形成が複雑であるほか、画面紙を持ち上げるだけでは面白味に欠けるという不都合がある。又、以上のような起き上り片を起き上がらせるためには、台紙の折り目と違う方向に折り曲げる部分が必要となるが、従来は、異なる方向に折れるように手作業で癖を付けなくてはならず手間がかかっていた。更に、従来は、上述した実施例１〜３のように、単純に台紙に対して起き上がるのみであり、必ずしも大きな視覚的効果が得られないという不都合がある。
【０００５】
本発明は、以上のような点に着目したもので、見栄えがよく、簡単な構造であって製造も容易であり、確実に起立領域を起き上がらせ、視覚的効果が高い見開き構造体とその製造方法を提供することを、その目的とする。
【課題を解決するための手段】
【０００６】
本発明の見開き構造体の製造方法は、折り目に沿って折り畳まれる見開きシートと、該見開きシートを折り畳んだときに外側になるように、前記見開きシートに重ねて貼り合わせられる台紙と、前記見開きシートの折り目に跨って形成され、前記見開きシートの開閉中に、該見開きシートに対して起立する起立領域と、該起立領域の起立動作とともに、前記見開きシートに対して起立する少なくとも一つの起立片と、を有する見開き構造体の製造方法であって、シートに加工を施して、前記見開きシートと台紙の境及びこれらの折り目に相当する位置に折り曲げ用の加工線を形成し、前記見開きシート側に前記起立領域の輪郭を形成する折り曲げ用の加工線及び切り込み線を形成し、前記見開きシート側に前記起立片の輪郭を形成する切り離し用の加工線を形成する工程と、前記見開きシート側に、前記起立領域及び起立片の輪郭の外側と、前記シートの縁部，前記折り目の両側，前記台紙との境側の縁に接着剤を塗布する工程と、前記シートを、前記見開きシートと台紙の境に相当する位置に形成した加工線に沿って折り曲げ、前記見開きシートと台紙を貼り合わせる工程と、前記見開きシートを折り目に沿って折り曲げたときに、前記起立領域と起立片が重なる位置に、接着剤を塗布する工程と、前記見開きシート及び台紙を、前記折り目に相当する位置に形成された折り曲げ用の加工線に沿って折り曲げ、前記起立領域と起立片を接着する工程と、を含むことを特徴とする。
【０００７】
他の発明の見開き構造体の製造方法は、折り目に沿って折り畳まれる見開きシートと、前記見開きシートの折り目に跨って形成され、前記見開きシートの開閉中に、該見開きシートに対して起立する起立領域と、該起立領域の起立動作とともに、前記見開きシートに対して起立する少なくとも一つの起立片と、を有する見開き構造体の製造方法であって、シートに加工を施して、前記見開きシートの折り目に相当する位置に折り曲げ用の加工線を形成し、前記起立領域の輪郭を形成する折り曲げ用の加工線及び切り込み線を形成し、前記起立片の輪郭を形成する切り離し用の加工線を形成する工程と、前記見開きシートを前記折り目に沿って折り曲げたときに、前記起立領域と起立片が重なる位置に、接着剤を塗布する工程と、前記見開きシートを、前記折り目に相当する位置に形成された折り曲げ用の加工線に沿って折り曲げ、前記起立領域と起立片を接着する工程と、を含むことを特徴とする。
【０００８】
主要な形態の一つは、前記見開きシートを折り畳んだときに外側になるように、前記加工線を形成したシートに台紙を貼り合わせる工程、を含み、前記台紙を貼り合わせた後に、前記起立領域と起立片が重なる位置に、接着剤を塗布する工程を行うことを特徴とする。他の形態は、前記台紙側に、前記起立片が見開きシートから分離して形成される開口部に相当する位置に、印刷又は印刷を施した紙片を設けたことを特徴とする。
【０００９】
更に他の形態は、前記シートに加工を施す工程において、前記見開きシートの折り目に対して略直交する切り込み線と、該切り込み線の一方の端部から、前記見開きシートの折り目に達するように、該折り目に対して斜めに形成された第１の折り曲げ用加工線と、前記切り込み線の他方の端部から、前記第１の折り曲げ用加工線と同じ位置で前記見開きシートの折り目に達するように、該折り目に対して斜めに形成された第２の折り曲げ用加工線と、を形成して、前記起立領域の輪郭を形成するとともに、前記見開きシートを開いた状態において前記折り目と略平行になり、かつ、前記起立領域を２等分するように、前記見開きシートの折り目と逆向きに折り曲げられる第３の折り曲げ用加工線、を形成することを特徴とする。
【００１０】
更に他の形態は、前記見開きシートの折り目に跨って形成され、前記見開きシートの開閉中に、前記起立領域とは独立して前記見開きシートに対して起立するとともに、前記起立片の起立状態を支持するための支持領域を含んでおり、前記シートに加工を施す工程において、前記見開きシートの折り目に跨って形成され、前記起立領域と支持領域の境を形成する切り込み線と、前記見開きシートの折り目上の一点から、前記切り込み線の両端近傍に達するように一対形成されており、前記起立領域の輪郭を形成する第１の折り曲げ用加工線と、前記見開きシートの折り目上の前記一点と、前記切り込み線を挟んで対向する前記見開きシートの折り目上の他の一点から、前記切り込み線の両端近傍に達するように一対形成されており、前記支持領域の輪郭を形成する第２の折り曲げ用加工線と、前記見開きシートを開いた状態において前記折り目と略平行になり、かつ、前記起立領域及び支持領域をそれぞれ２等分するように、前記見開きシートの折り目と逆向きに折り曲げられる第３の折り曲げ用加工線と、を形成するとともに、前記起立領域と支持領域の境を形成する切り込み線に、前記起立領域側に向けて突出した部分を設けることで、前記見開きシートの開閉中に、前記支持領域側の突出部分が、前記起立片と係合して支持することを特徴とする。
【００１１】
更に他の形態は、前記起立領域と支持領域の境を形成する切り込み線に、前記支持領域側に向けて突出した部分を設け、前記起立領域側の突出部分に重なるように、前記起立片の一部を接着したことを特徴とする。更に他の形態は、前記見開きシートの折り目と直交する線に対する角度が、前記第１の折り曲げ用加工線と、前記第２の折り曲げ用加工線とで異なることを特徴とする。
【００１２】
更に他の形態は、前記シートに加工を施す工程において、前記見開きシートの折り目に対して略直交し、所定の間隔をおいて対向する一対の切り込み線と、該一対の切り込み線の一方の端部同士を結ぶ第１の折り曲げ用加工線と、前記一対の切り込み線の他方の端部同士を結ぶ第２の折り曲げ用加工線と、を形成して、前記起立領域の輪郭を形成するとともに、前記第１及び第２の折り曲げ用加工線の間に、これらの加工線と略平行であって、前記見開きシートの折り目と逆方向に折るための第３の折り曲げ用加工線、を形成することを特徴とする。
【００１３】
本発明の見開き構造体は、前記いずれかに記載の製造方法によって製造したことを特徴とする。
【００１４】
他の発明の見開き構造体は、あらかじめ形成された折り目で折り畳まれる見開きシートと、該見開きシートの折り目に跨って形成されており、前記見開きシートの開閉中に、該見開きシートに対して起立する起立領域と、該起立領域のいずれかの部分に一部が固定されており、前記起立領域の起立動作とともに、前記見開きシートに対して起立する少なくとも一つの起立片と、前記見開きシートの折り目に跨って形成され、前記見開きシートの開閉中に、前記起立領域とは独立して前記見開きシートに対して起立するとともに、前記起立片の起立状態を支持するための支持領域と、を備えたことを特徴とする。
【００１７】
更に他の形態は、前記見開きシートの折り目に跨って形成されており、前記起立領域と支持領域の境を形成する切り込み線、を有しており、前記切り込み線と、前記見開きシートの折り目上の一点から、前記切り込み線の両端近傍に達するように一対形成された第１の折り線とによって、前記起立領域の輪郭が形成され、前記切り込み線と、前記見開きシートの折り目上の前記一点と、前記切り込み線を挟んで対向する前記見開きシートの折り目上の他の一点から、前記切り込み線の両端近傍に達するように一対形成された第２の折り線とによって、前記支持領域の輪郭が形成されるとともに、前記見開きシートを開いた状態において前記折り目と略平行になり、かつ、前記起立領域及び支持領域をそれぞれ２等分するように、前記見開きシートの折り目と逆向きに折り曲げられる第３の折り線、を有しており、前記起立領域と支持領域の境を形成する切り込み線を、前記起立領域側に向けて突出させることで形成される支持領域側の突出部分が、前記見開きシートの開閉中に、前記起立片と係合することを特徴とする。
【００１８】
他の形態は、前記起立領域と支持領域の境を形成する切り込み線を、前記支持領域側に向けて突出させることで形成される起立領域側の突出部分に重なるように、前記起立片の一部が接着されていることを特徴とする。更に他の形態は、前記見開きシートの折り目と直交する線に対する角度が、前記第１の折り線と、前記第２の折り線とで異なることを特徴とする。
【００２０】
他の形態は、前記見開きシートのうち、前記起立領域以外の一部を、該見開きシートから分離可能となるように切り離し線によって周囲と区切り、該区切られた領域を前記起立片とし、その一部を前記起立領域に接着したことを特徴とする。更に他の形態は、前記見開きシートを折り畳んだときに外側になるように、前記見開きシートの折り目に跨って前記見開きシートに貼り合わせられる台紙，を備えたことを特徴とする。更に他の形態は、前記台紙側に、前記起立片が見開きシートから分離して形成される開口部に相当する位置に、印刷又は印刷を施した紙片を設けたことを特徴とする。本発明の前記及び他の目的，特徴，利点は、以下の詳細な説明及び添付図面から明瞭になろう。
【発明の効果】
【００２１】
本発明によれば、あらかじめ形成された折り目で折り畳まれる見開きシートと、該見開きシートの折り目に跨って形成されており、前記見開きシートの開閉中に、該見開きシートに対して起立する起立領域と、該起立領域に一部が固定されており、起立領域とともに見開きシートに対して起立する少なくとも一つの起立片と、を備えることとした。このため、簡単な構造であって、かつ、見栄えがよく、確実に起立領域を起き上がらせ、視覚的効果が高い見開き構造体が得られる。
【００２２】
また、シートに、前記見開きシートの折り目，起立領域の輪郭を形成する折り目及び切り込み線，起立片の輪郭を形成する切り離し線に相当する加工線を印刷加工と同時に形成し、必要な部分に接着剤を塗布してシートを折り曲げることで、前記見開き構造体を形成することとした。このため、複雑な製造工程を経ることなく、容易に視覚的効果の高い見開き構造体を得ることができる。
【図面の簡単な説明】
【００２３】
【図１】本発明の実施例１を示す図であり、(A)は開封後，(B)は開封前の見開き構造体の外観斜視図である。
【図２】前記実施例１の製造方法の一例を示す図である。
【図３】前記実施例１の変形例を示す図である。
【図４】本発明の実施例２及びその変形例を示す図である。
【図５】本発明の実施例３を示す図である。
【図６】本発明の実施例４及びその変形例を示す図である。
【図７】本発明の他の実施例を示す図である。
【発明を実施するための形態】
【００２４】
以下、本発明を実施するための最良の形態を、実施例に基づいて詳細に説明する。
【実施例１】
【００２５】
最初に、図１及び図２を参照しながら本発明の実施例１を説明する。図１(A)は本実施例の見開き構造体の開封後の様子を示す外観斜視図であり、図１(B)は開封前の様子を示す外観斜視図である。図２は、本実施例の製造工程を示す図である。本実施例の見開き構造体１０は、図１(A)に示すように、折り目１４を介して連接したシート１６，１８を、前記折り目１４に沿って折り畳み可能な見開きシート１２と、該見開きシート１２を折り畳んだときに外側にくるように、前記折り目１４に跨って前記見開きシート１２に貼り合わせられる台紙５０により構成されている。
【００２６】
台紙５０は、折り目５２を介してシート５４，５６が連接し、折り目５７を介して前記シート５６と折り曲げ部５８が連接している。図１(B)に示すように、本実施例では、前記台紙５０のシート５６には、見開き構造体１０を葉書として利用することができるように、郵便番号を記入するための枠や、切手貼付欄が印刷されている。また、見開き構造体１０を郵送する場合には、見開きシート１２及び台紙５０を折り畳んだ状態で封をしなければならないため、前記折り曲げ部５８を折り目５７に沿って折り、該折り曲げ部５８をシート５４側に接着する。なお、図１(A)では、見開きシート１２と台紙５０が重なっていることを理解しやすいように図示しているが、後述する製造方法に示すように、一枚のシートを折り曲げて見開きシート１２と台紙５０を形成する場合には、見開きシート１２の長辺の一方が、台紙５０の長辺と連続する構成となる。
【００２７】
前記見開きシート１２の折り目１４は、例えば、点線ミシン入れ、トムソン入れ、マイクロミシン入れ、スジ入れなどによって形成されており、該折り目１４を設けることによって、前記シート１６，１８を簡単に折り畳むことができるとともに、シート１６，１８を適宜（例えば９０度程度）に開いた状態に維持しやすい。台紙５０の折り目５２，５７についても、前記折り目１４と同様の方法により形成される。前記見開きシート１２と台紙５０は、折り目１４と５２，シート１６と５６，シート１８と５４を重ね、図示しない接着剤等により接着される。なお、後述する起立領域２０と起立片３０については、前記台紙５０に対しては接着しないか、剥離可能な程度の接着力をもって接着するようにする。接着方法については後述する。前記見開きシート１２及び台紙５０としては、紙のほか、薄い金属，フィルム，合成紙，石油製品を原料とするシートなど、任意のものが利用可能である。
【００２８】
また、前記見開きシート１２には、前記折り目１４に跨って起立領域２０が形成されている。該起立領域２０は、前記見開きシート１２の開閉中に、該見開きシート１２に対して起立するものである。更に、前記起立領域２０には、該起立領域２０の起立動作とともに前記見開きシート１２に対して起立する起立片３０の一部が接着されている。該起立片３０は、後述するように、前記見開きシート１２の一部を利用して形成される。図示の例では、前記起立片３０は、一本松の形状を模しており、幹３２の部分が、起立領域２０の一部（図示の例では左側の部分）に接着剤３６によって接着されている。
【００２９】
前記起立領域２０は、図１(A)に示すように、切り込み線２２と、第１の折り線２６，第２の折り線２８によって輪郭が形成されている。前記切り込み線２２は、前記折り目１４に対して略直交するように形成されており、シート１６側とシート１８側で同じ長さとなっている。第１の折り線２６は、前記切り込み線２２のシート１６側の端部から、前記折り目１４の所定の位置に達するように、該折り目１４に対して斜めに形成されている。また、前記第２の折り線２８は、前記切り込み線２２のシート１８側の端部から、前記折り目１４の所定の位置に達するように、前記折り目１４に対して斜めに形成されている。前記第１の折り線２６と第２の折り線２８は、折り目１４上の同じ箇所をそれぞれの一端としている。また、前記起立領域２０には、前記見開きシート１２を開いた状態において、前記折り目１４と略平行となり、かつ、前記切り込み線２２と、第１の折り線２６及び第２の折り線２８で囲まれる領域を２等分し、前記折り目１４と逆向きに折り曲げられる第３の折り線２４が形成されている。
【００３０】
次に、図２を参照して、本実施例の製造方法を説明する。まず、見開きシート１２及び台紙５０のもととなる原紙６０を用意する。そして、該原紙６０に加工を施し、図２(A-1)及び(A-2)に示すように、見開きシート１２と台紙５０が連接したシート６４を得るための切り抜き線６２を形成する。図２(A-1)は原紙６０の表側，図２(A-2)は原紙６０の裏側を示している。また、前記シート６４の輪郭の加工と同時に、図２(A-1)及び(A-2)に示すように、加工線１４´，２４´，２６´，２８´，５２´，５７´，６６及び切り込み線２２、切り離し線３４を形成する。前記加工線１４´は、前記見開きシート１２の折り目１４に相当し、前記加工線５２´は、台紙５０の折り目５２に相当する。また、加工線６６は、見開きシート１２と台紙５０の境の折り目に相当する。更に加工線２４´，２６´，２８´は、前記起立領域２０の折り線２４，２６，２８に相当するものである。また、切り込み線２２は、起立領域２０の輪郭の一部を形成し、切り離し線３４は、起立片３０の輪郭を形成する。前記加工線１４´，２４´，２６´，２８´，５２´，５７´，６６は、点線ミシン入れ、トムソン入れ、マイクロミシン入れ、スジ入れなどによって形成される。更に、本実施例では、台紙５０のシート５６に相当する部分に、郵便番号欄や切手貼付欄の印刷も行う。
【００３１】
次に、図２(B)に示すように、見開きシート１２側の必要な部分に接着剤６８を塗布する。図２(B)に示す例では、起立領域２０の外側と起立片３０の外側に、これらの輪郭に沿って接着剤６８を塗布する。また、見開きシート１２のシート１６，１８に相当する部分のそれぞれの周囲４辺にも接着剤６８を塗布する。なお、加工線の真上に接着剤を塗布しないようにしてもよい。次に、図２(B)に矢印で示すように、接着剤６８を塗布した後の見開きシート１２を、加工線６６に沿って台紙５０側に折り曲げると、図２(C)に示すように、起立領域２０と起立片３０以外の部分が、台紙５０に接着される。
【００３２】
次に、図２(C)に示すように、起立領域２０の一部（図示の例ではシート１６側）に接着剤３６を塗布し、図２(D)に矢印で示すようにシート１８を加工線１４´，５２´に沿ってシート１６側に折り曲げると、切り込み線２２及び折り線２４´，２６´，２８´によって起立領域２０は見開きシート１２に対して起き上がるようにして折り畳まれる。これにより、接着剤３６が起立片３０の幹３２の部分に接着する。なお、図示の例では、起立領域２０側に接着剤３６を塗布することとしたが、起立片３０の幹３２側に設けるようにしてもよいし、起立領域２０と起立領域３０の双方に接着剤３６を塗布するようにしてもよい。その後、必要に応じて、加工線５７´に沿って折り曲げ部５８を折り曲げて、図１(A)に示す見開き構造体１０が完成する。
【００３３】
この見開き構造体１０を開封すると、起立領域２０が見開きシート１２に対して起き上がり、該起立領域２０に一部が接着された起立片３０は、切り離し線３４によって見開きシート１２から分離されるので、自動的に、前記起立領域２０とともに立ち上がる。見開きシート１２を完全に開いた状態が、図２(E)に示されており、起立片３０は、幹３２が折り目１４に沿うようになる。従って、起立片３０は単に起き上がるのではなく、起き上がりながら９０度回転するようになるので、視覚的効果が高い。図２(F)は、見開き中、最も起立片３０が立ち上がっている状態であり、シート１６とシート１８が９０度程度に開いた状態である。
【００３４】
このように、実施例１によれば、次のような効果がある。
(1)あらかじめ形成された折り目１４で折り畳まれる見開きシート１２と、該見開きシート１２の折り目１４に跨って形成されており、前記見開きシート１２の開閉中に、該見開きシート１２に対して起立する起立領域２０と、該起立領域２０に一部が固定されており、起立領域２０とともに見開きシート１２に対して起立する起立片３０と、を備えることとした。このため、簡単な構造であって、確実に起立領域を起き上がらせることができる。
(2)前記起立領域２０を、前記折り目１４に対して略直交する切り込み線２２と、該切り込み線２２の両端から前記折り目１４の所定の位置に向けて、該折り目１４に対して斜めに形成された折り線２６，２８によって形成する。そして、前記起立領域２０を２等分する折り線２４を、前記折り目１４に沿って平行に設け、かつ、該折り目１４と逆向きに折ることとした。このため、起立片３０は立ち上がりながら回転するようになるので、高い視覚的効果が得られる。
【００３５】
(3)前記見開きシート１２に台紙５０を重ねたので、強度が増し、見開きシート１２を適度に開いた状態を維持しやすい。また、起立片３０と起立領域２０の接着が不十分であっても、開封前に起立片３０が取れることがない。
(4)また、シート６４に、前記見開きシート１２の折り目１４，起立領域２０の輪郭の一部を形成する折り線２６，２８に相当する加工線１４´，２６´，２８´と、起立領域２０の輪郭の一部を形成する切り込み線２２と、起立片３０の輪郭を形成する切り離し線３４を、印刷加工と同時に形成し、必要な部分に接着剤を塗布してシートを折り曲げることで、前記見開き構造体１０を形成することとした。このため、複雑な製造工程を経ることなく、容易に視覚的効果の高い見開き構造体を得ることができる。
【００３６】
＜変形例＞・・・次に、図３を参照しながら、本実施例の変形例を説明する。図１に示した見開き構造体１０は、起立領域２０とともに起立する起立片３０が一つであったが、図３(A)に示す見開き構造体１０Ａでは、他の起立片３８も備えた例である。図３(A)に示すように、前記起立片３０は、幹３２の部分が、起立領域２０の中央の折り線２４にかかるように接着剤３６で接着されており、見開き時に、図１の例と比べて、より中央側に起立するようになっている。他方の起立片３８は、図示の例では、小さな松の形状をしており、起立領域２０のシート１８側の部分に接着剤４２によって幹の部分が接着されている。この起立片３８は、見開きシート１２のシート１８側に形成された切り離し線４０によって、見開きシート１２から分離して起立可能となっている。
【００３７】
前記起立片３０，３８の接着位置については、図３(B)に示すように、必要に応じて適宜変更してよい。例えば、図３(B)に示すように、起立片３０を、起立領域２０のシート１６側の端に寄せて接着するようにしてもよい。また、他方の起立片３８についても、接着位置と切り離し線４０の位置を下げることにより、接着面積を広くして確実に接着するようにしてもよい。また、図３(C)に示すように、前記起立片３８については、シート１８から分離する構成ではなく、見開きシート１２とは異なる紙片を予め起立領域２０に貼り付けるようにしてもよい。
【実施例２】
【００３８】
次に、図４を参照しながら本発明の実施例２及びその変形例を説明する。なお、上述した実施例１と同一ないし対応する構成要素には同一の符号を用いることとする（以下の実施例についても同様）。上述した実施例１は、見開きシート１２に台紙５０を重ねる構成としたが、本実施例は、台紙を省略した例である。図４(A)に示す見開き構造体１０Ｂは、台紙５０がないことと、２つの起立片３０，３８を設けた点以外は、図１(A)に示した実施例１と基本的に同様の構成となっている。
【００３９】
本実施例においても、実施例１と同様に見開き構造体１０Ｂを製造することができる。具体的には、用意したシートに、図２(A-1)に示す見開きシート１２と同様に、加工線１４´、２４´、２６´、２８´、切り込み線２２、切り離し線３４，４０を形成する。そして、起立領域２０側又は、起立片３０，３８側に接着剤３６，４２を設け（図２(C)参照）、加工線１４´に沿って折り曲げる。すると、起立領域２０と、起立片３０，３８が接着し、見開き構造体１０Ｂが完成する。この見開き構造体３０Ｂを開くと、起立片３０，３８が見開きシート１６，１８から分離して、図４(A)に示すように、起立領域２０とともに起き上がる。
【００４０】
また、図４(B)に示す見開き構造体１０Ａ´のように、前記起立領域２０を２箇所設けるようにしてもよい。図示の例では、前記折り目１４に跨るように、起立領域２０，２０´が所定の間隔をおいて形成されており、それぞれの起立領域２０，２０´に対して、起立片３０，３８や、起立片３０´，３８´が設けられる。
【００４１】
更に、前記起立片３０，３８の形状や大きさは、必要に応じて適宜変更が可能である。例えば、図４(C)に示す見開き構造体１０Ｃでは、シート１６側に切り離し線７０によって「新郎」の輪郭を形成し、シート１８側に切り離し線７６によって「新婦」の輪郭を形成する。そして、これらの切り離し線７０，７６によって形成された起立片７２，７８の下部を、それぞれ、起立領域２０の左右に接着剤７４，８０で接着する。このような見開き構造体１０Ｃでは、開くと新郎新婦を模した起立片７２，７８が左右から中央に向けて並ぶように起き上がるので、結婚式や披露宴の招待状などに利用できる。また、図４(D)に示す見開き構造体１０Ｄのように、シート１６，１８側に、切り離し線７０Ａ，７６Ａを形成し、うさぎを模した形状の起立片７２Ａ，７８Ｂが並んで起き上がるようにしてもよい。このような見開き構造体１０Ｄは、例えば、子供用の配布物などに利用できる。前記図４(C)及び(D)に示す例においても、図４(B)に示す例と同様に、折り目１４に対して２つの起立領域を設けるようにしてもよい。
【実施例３】
【００４２】
次に、図５を参照しながら本発明の実施例３を説明する。上述した実施例１及び２は、見開きシートに対して起き上がる起立領域に、任意の形状の起立片を貼り付けることで、見開き時の視覚的効果を得るものであるが、本実施例では、起立片の起立状態を維持しやすい構成としたものである。なお、図５の例は、台紙を省略した例であるが、上述した実施例１と同様に、見開きシートの台紙を重ねる構成としてもよい。図５(A)は見開き構造体用のシートに加工を施した状態，図５(B)は加工後のシートを折り畳んだ状態，図５(C)は見開き構造体の開閉中の状態を示す図である。本実施例の見開き構造体１０Ｅは、見開きシート１２の折り目１４に跨って起立領域８０と、支持領域９０を有している。前記支持領域９０は、前記見開きシート１２の開閉中に、該見開きシート１２に対して、前記起立領域８０とは独立して起立するものであり、起立片３０の起立状態を維持しやすくするものである。
【００４３】
前記起立領域８０と支持領域９０は、前記見開きシート１２の折り目１４に跨るように形成された切り込み線８２を境に対向している。前記起立領域８０は、前記切り込み線８２と、前記折り目１４上の一点から前記切り込み線８２の両端部８３Ａ，８３Ｂに達するように一対形成された第１の折り線８４Ａ，８４Ｂとによって輪郭が形成されている。また、前記支持領域９０は、前記切り込み線８２と、前記折り目１４上の他の一点から、前記切り込み線８２の両端部８３Ａ，８３Ｂの若干内側に向けて一対形成された第２の折り線９２Ａ，９２Ｂとによって輪郭が形成されている。
【００４４】
また、折り目１４上の支持領域９０側の折り線９２Ａ，９２Ｂの接する位置は、起立領域８０側の折り線８４Ａ，８４Ｂの接する位置よりも、折り目１４の中心から離れている。このため、図５(A)に示すように、本実施例では、前記折り目１４と直交する線Ｌに対する支持領域９０側の折り線９２Ａ，９２Ｂの角度θＢが、起立領域８０側の折り線８４Ａ，８４Ｂ側がなす角度θＡよりも大きい。このため、閉状態の見開きシート１２を開いたときに、支持領域９０側の方が、起立領域８０側よりも早く立ち上がるようになる。
【００４５】
また、前記起立領域８０には、見開きシート１２を開いた状態において前記折り目１４と略平行になり、かつ、前記起立領域８０を２等分するように、前記折り目１４と逆向きに折り曲げられる第３の折り線８６が形成されている。同様に、前記支持領域９０にも、見開きシート１２を開いた状態において前記折り目１４と略平行になり、かつ、前記支持領域９０を２等分するように、前記折り目１４と逆向きに折り曲げられる第３の折り線９４が形成されている。
【００４６】
本実施例においては、前記切り込み線８２が、前記折り目１４と略直交する線Ｌを超えて、起立領域８０側に向けて突出した突出形状８２Ａと、前記支持領域９０側へ向けて突出した突出形状８２Ｂを有している。起立領域８０側に形成された突出形状８２Ａは、支持領域９０が起立するときに、該支持領域９０と一体に起立する突出部９６Ａを形成する。また、支持領域９０側に形成された突出形状８２Ｂは、起立領域８０が起立するときに、該起立領域８０と一体に起立する突出部９６Ｂを形成する。そして、支持領域９０側の突出部９６Ａが、起立片３０の幹３２の部分に引っ掛かり、起立状態を維持しやすくする。また、見開きシート１２に切り抜き線３４によって形成される起立片３０は、図示の例では、起立領域８０の９６Ｂ側に接着されている。このように、突出部９６Ｂ側に起立片３０を接着することにより、２枚重ねの部分が増えて強度が増すため、前記突出部９６Ａとの係合により起立状態の維持がしやすくなる。
【００４７】
本実施例においても、上述した実施例１と同様に見開き構造体１０Ｅを製造することができる。具体的には、図５(A)に示すように、用意したシートに、折り目１４と折り線８４Ａ，８４Ｂ，８６，９２Ａ，９２Ｂ，９４を形成するための加工線と、切り込み線８２と、切り離し線３４を形成する。そして、起立領域８０の突出部９６Ｂ側に接着剤３６を設け、図５(B)に示すように、折り目１４に沿って折り曲げる。その際、起立領域８０及び支持領域９０の折り線８６，９４が、見開きシート１２の折り目１４と逆向きになるように折る。すると、起立領域８０と起立片３０が接着し、見開き構造体１０Ｅが完成する。
【００４８】
この見開き構造体１０Ｅを開くと、起立片３０が見開きシート１８から分離して、図５(C)に示すように、起立領域８０とともに起き上がる。また、起立領域８０の起立と同様に、支持領域９０も起き上がり、支持領域９０側の突出部９６Ａが、起立片３０の幹３２の部分に係合し、起立片３０の起立状態を維持しやすくなる。また、起立領域８０側にも突出部９６Ｂを設け、該突出部９６Ｂ側に起立片３０を接着することにより、２重部分が増えて強度が増すため、前記突出部９６Ａによる起立状態の維持がしやすい。他の基本的な効果は、上述した実施例１と同様である。なお、本実施例においても、図４(B)に示す例と同様に、起立領域８０と支持領域９０を２箇所ずつ設けるようにしてもよい。また、起立領域８０に、他の起立片を接着するようにしてもよい。その起立片の形状や大きさも、必要に応じて適宜変更が可能である。
【実施例４】
【００４９】
次に、図６を参照して、本発明の実施例４を説明する。上述した実施例１〜３は、見開きシートに対して三角形の起立領域が起き上がる構成としたが、本実施例は、起立領域の形状を長方形にしたものである。図６(A)に示す見開き構造体１００は、折り目１０４を介して連接したシート１０６，１０８を、前記折り目１０４に沿って折り畳み可能な見開きシート１０２と、該見開きシート１０２を折り畳んだとき外側にくるように、前記折り目１０４に跨って前記見開きシート１０２に貼り合わせられる台紙１３０により構成されている。台紙１３０は、折り目１３２を介してシート１３４，１３６が連接し、折り目１３７を介して前記シート１３６と折り曲げ部１３８が連接している。前記見開きシート１０２と台紙１３０は、折り目１０４と１３２，シート１０６と１３６，シート１０８と１３４を重ね、図示しない接着剤等により接着される。
【００５０】
前記見開きシート１０２には、前記折り目１０４に跨って起立領域１１０が形成されている。該起立領域１１０は、前記見開きシート１０２の開閉中に、該見開きシート１０２に対して起立するものである。更に、前記起立領域１１０には、該起立領域１１０の起立動作とともに前記見開きシート１０２に対して起き上がる起立片１２０の一部が接着されている。該起立片１２０は、前記見開きシート１０２のシート１０６を利用して形成される。図示の例では、前記起立片１２０は、一本松の形状を模しており、幹の部分が、起立領域１１０の一部（図示の例ではシート１０６側）に接着剤１２２によって接着されている。
【００５１】
前記起立領域１１０は、図６(A)に示すように、一対の切り込み線１１１，１１２と、折り線１１４，１１６によって輪郭が形成されている。前記切り込み線１１１，１１２は、前記折り目１０４に対して略直交するように所定の間隔をおいて略平行に形成されている。図示の例では、切り込み線１１１，１１２は、シート１０８側の方が、シート１０６側よりも長く形成されている。また、前記折り線１１４，１１６の間には、前記見開きシート１０２を開いた状態において、前記折り目１０４と略平行となり、かつ、該折り目１０４と逆向きに折り曲げられる折り線１１８が形成されている。前記見開きシート１０２のシート１０６側には、切り離し線１２４によって、シート１０６から分離可能な起立片１２０が形成される。該起立片１２０は、幹の部分が、接着剤１２２によって、起立領域１１０のシート１１６側に接着されている。なお、起立片１２０は、シート１０６から完全に分離可能に形成されていてもよいし、起立領域１１０の折り線１１６と同じ位置で折り曲がることにより起立する構成としてもよい。
【００５２】
本実施例の見開き構造体１００も、基本的に、前記実施例１と同様の手順により製造することができる。具体的には、用意した原紙に、前記図２(A-1)及び(A-2)のように、見開きシート１０２と台紙１３０が連接した形状のシートの切り抜き線を形成するとともに、切り込み線１１１，１１２と、切り離し線１２４と、折り目１０４，１３２，折り線１１４，１１６，１１８に相当する加工線を形成する。そして、起立領域１１０と起立片１２０の内側を除いた適宜部分に接着剤を塗布し（図２(B)参照）、シートを中央で折り曲げて見開きシート１０２と台紙１３０を貼り合わせる。そして、起立領域１１０側又は起立片１２０側の所定の位置に接着剤１２２を塗布し（図２(C)参照）、見開きシート１０２の折り目１０４に相当する加工線で折り曲げる。すると、起立領域１１０と、起立片１２０が接着し、見開き構造体１００が完成する。
【００５３】
この見開き構造体１００を開くと、起立片１２０が見開きシート１０２から分離して、図６(A)に示すように、起立領域１１０とともに立ち上がる。なお、本実施例においても、図６(B)に示す見開き構造体１００´のように、折り目１０４に跨るように、２つの起立領域１１０，１１０´を設け、それぞれに起立片１２０，１２０´を接着するようにしてもよい。本実施例の基本的な作用・効果は、上述した実施例１と同様である。
【００５４】
なお、本発明は、上述した実施例に限定されるものではなく、本発明の要旨を逸脱しない範囲内において種々変更を加え得ることができる。例えば、以下のものも含まれる。
(1)前記実施例１では、見開きシート１２と台紙５０は一枚のシート６４を折り曲げて接着したが、これも一例であり、見開きシート１２側に必要な加工線を施した後に、該見開きシート１２とは独立した別のシートを台紙５０として貼り合わせるようにしてもよい。また、台紙５０は必要に応じて設けるようにすればよい。他の実施例についても同様である。
(2)前記実施例で示した起立領域２０，８０，１１０や、支持領域９０の形状は一例であり、同様の効果を奏するように適宜変更可能である。
【００５５】
(3)前記実施例１及び実施例４のように、見開きシートに台紙を重ねる構成の場合は、例えば、図７(A)に示す見開き構造体１０Ｆのように、見開きシート１２と台紙５０を接着する接着剤６８の塗布位置を調節してシート１６の縁部に開口部６９を形成することにより、カード１５０を差し込むことができる。差し込まれたカード１５０は、起立片３０がシート１６から分離した後に形成される窓３４Ａから、内容を確認することができる。また、図７(B)に示す見開き構造体１０Ｇに示すように、台紙５０側に、前記窓３４Ａに相当する位置に予め任意の印刷部分１５２を形成しておくことにより、起立片３０が起立した後に、窓３４Ａから印刷内容を見ることが可能である。印刷の態様としては、文字や模様を表示する，着色するなど、各種可能である。前記印刷部分１５２は、例えば、実施例１であれば、図２(A-1)及び(A-2)に示す工程において形成するようにしてよい。
【００５６】
(4)前記実施例３で示した起立領域８０及び支持領域９０の形状、寸法も一例であり、必要に応じて適宜変更してよい。前記実施例３では、第１の折り線８４Ａ，８４Ｂと、第２の折り線９２Ａ，９２Ｂとでは、切り込み線８２に達する位置が異なるが、これも一例であり、同様の効果を奏する範囲内において適宜変更可能である。前記折り線８４Ａ，８４Ｂ，９２Ａ，９２Ｂが、折り目１４と直交する線Ｌに対してなす角度θＡ，θＢについても同様に、必要に応じて適宜変更してよい。また、実施例３についても、実施例１と同様に台紙を設け、該台紙側に郵便用の封筒として用いるための印刷部分を設けるようにしてもよい。
【００５７】
(5)前記実施例１で示した台紙５０側の折り曲げ部５８は、郵送に必要なため設けたものであり、用途に応じて省略可能である。
(6)前記実施例１及び実施例４のように、台紙５０，１３０を用いる構造の場合は、見開きシートと台紙の接着に用いる接着剤として、接着後に剥離可能なものを用いることにより、見開きシートと台紙を剥がしたときに見える部分に設けた任意の印刷等の内容を確認することができる。
(7)前記実施例で示した起立片の形状，寸法，数も一例であり、必要に応じて適宜変更してよい。また、一つの折り目に対して設ける起立片の数は、２つ以上としてよい。
【産業上の利用可能性】
【００５８】
本発明によれば、あらかじめ形成された折り目で折り畳まれる見開きシートと、該見開きシートの折り目に跨って形成されており、前記見開きシートの開閉中に、該見開きシートに対して起立する起立領域と、該起立領域に一部が固定されており、起立領域とともに見開きシートに対して起立する少なくとの一つの起立片と、を備えることとしたので、見開き構造体の用途に適用できる。特に、カードや配布物などの用途に好適である。
【符号の説明】
【００５９】
１０，１０Ａ，１０Ａ´，１０Ｂ，１０Ｃ，１０Ｄ，１０Ｅ，１０Ｆ，１０Ｇ：見開き構造体
１２：見開きシート
１４：折り目
１４´：加工線
１６，１８：シート
２０，２０´：起立領域
２２：切り込み線
２４，２６，２８：折り線
２４´，２６´，２８´：加工線
３０，３０´，３８，３８´：起立片
３２：幹
３４，４０：切り離し線
３４Ａ：窓
３６，４２：接着剤
５０：台紙
５２，５７：折り目
５２´，５７´：加工線
５４，５６：シート
５８：折り曲げ部
６０：原紙
６２：切り抜き線
６４：シート
６６：加工線
６８：接着剤
６９：開口部
７０，７０Ａ，７６，７６Ａ：切り離し線
７２，７２Ａ，７８，７８Ａ：起立片
７４，７９：接着剤
８０：起立領域
８２：切り込み線
８２Ａ，８２Ｂ：突出形状
８３Ａ，８３Ｂ：端部
８４Ａ，８４Ｂ，８６，９２Ａ，９２Ｂ，９４：折り線
９６Ａ，９６Ｂ：突出部
１００，１００´：見開き構造体
１０２：見開きシート
１０４：折り目
１０６，１０８：シート
１１０，１１０´：起立領域
１１１，１１２：切り込み線
１１４，１１６，１１８：折り線
１２０，１２０´：起立片
１２２：接着剤
１２４：切り離し線
１３０：台紙
１３２，１３７：折り目
１３４，１３６：シート
１３８：折り曲げ部
１５０：カード
１５２：印刷部分
【要約】
【課題】簡単な構造で製造も容易であり、視覚的効果が高い見開き構造体を提供する。
【解決手段】見開き構造体１０は、折り目１４を介してシート１６，１８が連接する見開きシート１２に台紙５０を重ねた構造である。見開きシート１２には、折り目１４に跨る起立領域２０が形成され、シート１６から分離する起立片３０の一部が接着される。見開きシート１２と台紙５０がつながったシート６４に、起立領域２０の形成用の切り込み線２２、折り線用の加工線２４´，２６´，２８´、起立片３０の形成用の切り離し線３４、見開きシート１２と台紙５０の折り曲げ用の加工線を形成する。その後、起立部分以外に適宜接着剤６８を塗布して見開きシート１２と台紙５０を貼り合わせ、更に、起立領域２０と起立片３０の重なる部分に接着剤３６を塗布して見開きシート１２を折り曲げると見開き構造体１０が完成する。
【選択図】図２【図１】
0005563128.tif 000002
【図２】
0005563128.tif 000003
【図３】
0005563128.tif 000004
【図４】
0005563128.tif 000005
【図５】
0005563128.tif 000006
【図６】
0005563128.tif 000007
【図７】
0005563128.tif 000008